(57)【要約】      （修正有）【課題】子どもが屋内や屋外で安心して遊技ができ、軽量なので女性や高齢者による取り扱いでも、設置性能や解体性能や運搬性能や保管性能に優れた、エアドーム式遊戯用装置を提供する。【解決手段】エアドーム本体ＡＤの底部分の一辺が約８ｍ位の略方形になるよう裁断した十分な厚みのナイロン製の生地の下部シート体１０と、空気透過性を備えた薄手のナイロン生地を高さが約２ｍ位のドーム形状になるよう縫製された上部シート体２０と、下部シート体１０と上部シート体２０とを対向配置し両者の周縁部を相互に縫着した縫着部３０と、送風機を方形の容器に収納した送風装置４０と、送風装置４０の一端に設けた空気浄化手段４１と、生地を筒状に形成させた空気導入部５０とからなる。【選択図】図１
0003135461.tif 000002
【実用新案登録請求の範囲】
【請求項１】
空気が充填されてドーム形状に形成される子ども用の遊戯設備において、所定の形状に成形し柔軟性を備えた下部シート体と空気透過性があり柔軟性を備えドーム形状に形成されるように成形した上部シート体とを対向配置し、両者の周縁部の所定の部位を相互に縫着した縫着部を設け、前記周縁部の所定の部位に送風装置からの空気を導入する空気導入部を設け、前記周縁部の所定の部位に両者を着脱可能に係着する着脱可能係着部を設けたことで、送風装置からの外部空気を前記空気導入部を介して前記下部シート体と前記上部シート体の間に十分に導入することによって遊戯空間を形成させたことを特徴とする、エアドーム式遊戯用装置。
【請求項２】
前記上部シート体の側部に前記ドーム形状内の空気圧調整のための少なくとも一個の切り込みを設けたことを特徴とする、請求項１に記載のエアドーム式遊戯用装置。
【請求項３】
前記上部シート体の素材が光透過性を備えた素材であり、または（及び）前記上部シート体の側部に任意形状で任意寸法の窓部を少なくとも一個設け、前記窓部の形状に合わせて成形し透明性を備えた窓状シート体を固着したことを特徴とする、請求項１に記載のエアドーム式遊戯用装置。
【請求項４】
前記送風装置が、可搬可能であり、所定の形状の容器に収納され、前記容器には空気入力部と空気出力部が形成され、空気入力部または（及び）空気出力部には空気浄化手段を設けたことを特徴とする、請求項１に記載のエアドーム式遊戯用装置。
【請求項５】
前記下部シート体が同寸で少なくとも２枚のシートで形成され、前記２枚シートの周縁部の所定の部位に送風装置からの空気を導入する空気導入部を設けたことを特徴とする、請求項１に記載のエアドーム式遊戯用装置。
【考案の詳細な説明】
【技術分野】
【０００１】  本考案は、送風装置を介して空気が充填されドーム形状に形成される子ども用の遊戯設備において、柔軟性を備えた下部シート体と空気透過性があり柔軟性を備えドーム形状に形成されるように成形した上部シート体と、送風装置からの空気を導入する空気導入部とで構成され、送風装置からの外部空気を前記空気導入部を介して前記下部シート体と前記上部シート体の間に十分に導入することによって遊戯空間を形成させたことを特徴とする、エアドーム式遊戯用装置に関するものである。
【背景技術】
【０００２】  近年になって、複数以上の幼児や小学生が屋内や屋外で安心して遊技ができるようにすることを目的にした、遊戯設備の開発例が増えてきた。
また、従来から、幼児や小学生が屋外で遊ぶ場合は、紫外線対策や酸性雨対策や花粉対策や塵やホコリに対して注意しながら遊ばさせる親が存在したが、この国では、それほどにもアレルギー症状やアトピー症状を示す幼児や小学生が増加する傾向にあるといわれている。【０００３】  例えば、遊戯設備の開発例の一例として、任意の場所に随時簡単に設置、解体ができるとともに運搬、保管が容易なドーム形の気室を備えた遊具の提供を課題とし、その解決手段として、空気不透過性のシートを山形に成形した上面シートと下面シートとを対向配置して周縁部を接着した本体気室、下面シートと本体気室の下面の周縁部に設けられた環状の周辺気室と周辺気室の下側に張り渡された底面シートとで形成される下部気室を備え、本体気室、周辺気室、下部気室のそれぞれにバルブを具えたホースが取り付けられ、周辺気室の接地面にずれ防止パットが貼着され、周辺気室の周囲にアンカー用ライフラインが吊着されたドーム形の気室を備えた遊具が知られている。（特開平１１−１３７８５７号公報を参照する）【０００４】  また、例えば、遊戯設備の開発例の一例として、衛生的な環境の下でしかも安全に遊戯に興ずることができ、しかも解体，組立，移動運搬等の取り扱いが簡便で低コストの遊戯設備の提供を課題とし、その解決手段として、柔軟性シートから構成されたテント本体内に送風機から圧縮空気を供給することにより該テント本体を略々ドーム型の立体形状に保持すると共に、テント本体の周側部の下部にテント周りの方向に略々等間隔に備えた送風口からテント本体の中心に向け吹き込まれる圧縮空気によりテント本体内に中心部から上昇し周囲から降下する空気流を形成させ、該空気流に風船を浮遊させ、この浮遊する風船と戯れることが出来るよう構成した遊戯設備が知られている。（実用新案登録第３０５５０４５号公報を参照する）
【考案の開示】
【考案が解決しようとする課題】
【０００５】  ところが、例えば、特開平１１−１３７８５７号公報のドーム形の気室を備えた遊具の開発案件では、任意の場所に随時簡単に設置、解体ができるとともに運搬、保管が容易なドーム形の気室を備えた遊具の提供を課題とするが、屋外で使用する場合は紫外線対策や雨天対策や花粉やホコリ対策が成されていないために問題が指摘され、屋内で使用する場合でも屋内の塵やホコリ対策や屋外からの花粉対策が成されていないという指摘を受けている。【０００６】  また、例えば、実用新案登録第３０５５０４５号公報の遊戯設備の開発案件では、柔軟性シートから構成されたテント本体内に送風機から圧縮空気を供給することにより該テント本体を略々ドーム型の立体形状に保持すると共に、テント本体の周側部の下部にテント周りの方向に略々等間隔に備えた送風口からテント本体の中心に向け吹き込まれる圧縮空気によりテント本体内に中心部から上昇し周囲から降下する空気流を形成させることを特徴とするが、テント本体の軽量性に問題があり、言われているほど、取り扱いが簡便ではないという指摘もあり、また、屋内で使用する場合でも屋内の塵やホコリ対策や屋外からの花粉対策が成されていないという指摘を受けている。【０００７】  本考案は、上記の課題を解決するために成されたものであり、屋外で使用する場合には紫外線対策や雨天対策や花粉や粉塵やホコリ対策が成され、屋内で使用する場合でも屋内の塵やホコリ対策や屋外からの花粉対策が成され、幼児や小学生が屋内や屋外で安心して遊技ができる、エアドーム式遊戯用装置の提供を目的とする。
また、本考案は、軽量であるので、女性や高齢者による取り扱いでも、設置性能や解体性能に優れ、運搬性能や保管性能に優れた、エアドーム式遊戯用装置の提供を目的とする。
【課題を解決するための手段】
【００１０】  課題を解決するための第一の手段は、空気が充填されてドーム形状に形成される子ども用の遊戯設備において、所定の形状に成形し柔軟性を備えた下部シート体と空気透過性があり柔軟性を備えドーム形状に形成されるように成形した上部シート体とを対向配置し、両者の周縁部の所定の部位を相互に縫着した縫着部を設け、前記周縁部の所定の部位に送風装置からの空気を導入する空気導入部を設け、前記周縁部の所定の部位に両者を着脱可能に係着する着脱可能係着部を設けたことで、送風装置からの外部空気を前記空気導入部を介して前記下部シート体と前記上部シート体の間に十分に導入することによって遊戯空間を形成させたことを特徴とする、エアドーム式遊戯用装置を提供することである。【００１１】  課題を解決するための第一の手段で記述した、所定の形状に成形し柔軟性を備えた下部シート体に関しては、素材は、空気透過性であっても無くてもどちらでも構わないし、防水性を備えていてもいなくてもどちらでも構わないし、合成樹脂製シートでも天然繊維系シートでも合成繊維系シートでも使用可能である。前記所定の形状に関しては、略方形、略円形、略三角形、などから選択して用いることが可能である。
課題を解決するための第一の手段で記述した、空気透過性があり柔軟性を備えドーム形状に形成されるように成形した上部シート体に関しては、空気透過性がある素材であれば、天然繊維系生地シートでも合成繊維系生地シートでも使用可能であるが、安全性のために難燃性を備えているタイプの使用が好ましい。また、防水処理が施されているタイプの使用も考慮すべきである。【００１２】  前記送風装置に関しては、女性や高齢者が持ち運びできる重量と形状であれば一般的に入手できるタイプであれば特に制限無く用いることができる。
前記着脱可能係着部に関しては、一般的に市販されている、着脱可能係着具であれば何でも使用可能である。例えば、一般的には、ファスナーやマジックテープと称されているものが使用可能である。また、例えば、磁石方式、密着方式、吸盤方式、粘着方式、なども使用可能である。また、例えば、一端が凹状で形成され他端が凸状で形成されたタイプの着脱可能係着具であれば何でも使用可能である。【００１３】  また、前記空気導入部に関しては、空気が拡散しないように四辺閉鎖した筒状のものが好ましい。また、前記空気導入部の形状に関しては、略四角形、略三角形、略円形等どんなものでも良い。また、前記空気導入部の素材に関しては、空気透過性でも空気不透過性でも合成樹脂製シートでも天然繊維系シートでも合成繊維系シートでも使用可能であるが、軽量なタイプの使用が好ましい。【００１５】  課題を解決するための第二の手段は、前記上部シート体の側部に前記ドーム形状内の空気圧調整のための少なくとも一個の切り込みを設けたことを特徴とする、課題を解決するための第一の手段に記載のエアドーム式遊戯用装置を提供することである。【００１６】  課題を解決するための第二の手段で記述した切り込みに関しては、切り込み方向は地面に対して水平でも垂直でもまた任意の角度がついても構わない。切り込みの形状に関しては、長尺でも短尺でも孔状でも点状でも略方形でも略三角形でも構わない。また、前記切り込みの数量に関しては、前記切り込みが長尺であれば少なくても一箇所あればよく短尺であれば少なくても二箇所以上必要な場合があり孔状や点状であれば多数必要な場合がある。【００１８】  課題を解決するための第三の手段は、前記上部シート体の素材が光透過性を備えた素材であり、または（及び）前記上部シート体の側部に任意形状で任意寸法の窓部を少なくとも一個設け、前記窓部の形状に合わせて成形し透明性を備えた窓状シート体を固着したことを特徴とする、課題を解決するための第一の手段に記載のエアドーム式遊戯用装置を提供することである。【００１９】  課題を解決するための第三の手段で記述した前記上部シート体の素材が光透過性を備えた素材に関しては、前記エアドーム本体の内部に存在する子どもの存在や数や性別が確認できるレベルであれば光の透過率に関しては特に問わないものとする。また、前記エアドーム本体の内部に存在する子どもが立っているのか横になっているのかが確認できるレベルであれば光の透過率に関しては特に問わないものとする。また、前記エアドーム本体の内部に存在する子どもの姿や形や服装が確認できるレベルであれば光の透過率に関しては特に問わないものとする。また、前記上部シート体の素材が光透過性を備えていながら、紫外線に関しては少なくとも５０％以上透過しない素材を選択することが好ましい。【００２０】  課題を解決するための第三の手段で記述した窓部の形状や寸法に関しては、前記エアドーム本体の内部に存在する子どもの存在や数や性別が確認できるレベルであれば形状や寸法に関しては特に問わないものとする。また、前記エアドーム本体の内部に存在する子どもが立っているのか横になっているのかが確認できるレベルであれば形状や寸法に関しては特に問わないものとする。また、前記エアドーム本体の内部に存在する子どもの姿や形や服装が確認できるレベルであれば形状や寸法に関しては特に問わないものとする。【００２２】  課題を解決するための第四の手段は、前記送風装置が、可搬可能であり、所定の形状の容器に収納され、前記容器には空気入力部と空気出力部が形成され、空気入力部または（及び）空気出力部には空気浄化手段を設けたことを特徴とする、課題を解決するための第一の手段に記載のエアドーム式遊戯用装置を提供することである。【００２３】  課題を解決するための第四の手段で記述した容器に関しては、設計上安定性が確保できていれば形状は略角柱形でも略円柱形でもどちらでも使用可能である。また、素材に関しては、女性や高齢者による可搬性能が確保できていれば木製でも合成樹脂製でも金属製でも構わない。
課題を解決するための第四の手段で記述した空気浄化手段に関しては、空気中に浮遊する微粒子を捕集するタイプでも吸着するタイプでもろ過するタイプでも使用可能である。また、一般的に入手できるフィルター手段であればなんでも使用可能である。また、前記フィルター手段に用いるフィルター素材に関しては、天然素材系でも合成樹脂系でもどちらでも使用可能である。また、前記フィルター素材の形状に関しては、粒状でもペレット状でも綿条でも成形体でも糸状でも筒状でもシート状でも使用可能である。【００２５】  課題を解決するための第五の手段は、前記下部シート体が同寸で少なくとも２枚のシートで形成され、前記２枚シートの周縁部の所定の部位に送風装置からの空気を導入する空気導入部を設けたことを特徴とする、課題を解決するための第一の手段に記載のエアドーム式遊戯用装置を提供することである。【００２６】  課題を解決するための第五の手段で記述した下部シート体に関しては、耐久性に優れるが軽量であり、かつ低コストの素材の使用が好ましく、ナイロン製の生地の使用も選択肢の一つである。前記２枚シートに関しては、表面または裏面から任意の位置を任意の面積で逢着することも可能である。この場合、逢着部位によって空気流路を制御することが可能になり、前記下部シート体に空気流路を任意デザインで設計することも可能になり、遊戯性も向上させることが可能なると同時に前記下部シート体の耐久性も向上させることが可能になる。
【考案の効果】
【００２８】  本考案のエアドーム式遊戯用装置は上述のように構成したから、屋内や屋外において極めて容易かつ低コストで設置することが可能になり、設置した現場から極めて容易に撤去することができ、誰でも手軽に用いることができる極めて実用性及び汎用性に秀れたエアドーム式遊戯用装置となる。【００２９】  本考案によって、本考案のエアドーム式遊戯用装置の床部分にクッション性を持たせることが可能になるので、子どもは本考案のエアドーム内で安心して遊戯することが可能になり、しかも浮遊感のある遊戯を楽しむことができることで製品価値が向上する。【００３０】  本考案によって、エアドーム本体の任意の位置にスリットを設けるという低コストで簡単な加工を施すだけで、エアドーム本体の外観に影響を及ぼすことなくエアドーム内の空気が一定の量になるとエアドーム外に排出されるという作用を持たせることが可能になり、その結果、エアドーム内では、常に新鮮な空気が循環するので、エアドームという閉鎖空間内での遊戯に拘わらず、衛生的な雰囲気内で遊戯に興じることが出来る。【００３１】  本考案によって、空気浄化手段を設けた送風装置を使用できることで、屋外で使用する場合には屋外空気中に浮遊する花粉や塵やホコリや工場からの排気微粒子や自動車からの排気微粒子を軽減させることができ、屋内で使用する場合には屋内空気中に浮遊する花粉や塵やホコリやハウスダストなどの微粒子を軽減させることができ、アトピー症状やアレルギー症状や気管支の弱い子どもでも衛生的な雰囲気内で遊戯に興じることが出来る。【００３２】  本考案によれば、上部シート体と下部シート体のつなぎ目に、上部シート体と下部シート体が着脱可能に係着する着脱可能係着部（例えば、ファスナー）を設けるという低コストで簡単な加工を施すだけで、エアドーム本体の外観に影響を及ぼすことなく、本考案のエアドーム式遊戯用装置を利用する子どもたちや親たちが簡便にエアドーム内とエアドーム外を移動することができる。【００３３】  本考案によって、前記上部シート体の素材が光透過性を備えた素材または前記上部シート体の任意の位置に透明窓部を設けたり、前記上部シート体の素材が光透過性を備えた素材及び前記上部シート体の任意の位置に透明窓部を設けたりするので、本考案のエアドーム式遊戯用装置を利用する子どもたちや親たちが安心して利用することができる。【００３４】  本考案によって、前記上部シート体の素材と前記下部シート体の素材にナイロン生地を選択することで、全体の重量が軽減でき、前記上部シート体の周縁部と前記下部シート体の周縁部とを縫着してあるので柔構造であり、折り畳みが容易であるため極めて扱いやすい、エアドーム式遊戯用装置を提供できる。【００３５】  本考案によって、前記上部シート体が空気透過性素材で形成され、前記上部シート体の任意の位置に前記切り込みを設けてあるので、前記送風装置を停止させることで、前記エアドーム内の空気を速やかに減ずることができ、極めて容易且つ手間なく撤去することができる、エアドーム式遊戯用装置を提供できる。【００３６】  本考案によって、前記エアドーム本体を前記送風装置を収納する前記容器に同時に収納することも可能になるので、本考案のエアドーム式遊戯用装置はコンパクトで移動性に優れた製品にすることができる。【００３７】  本考案のエアドーム式遊戯用装置は、子どもたちを悪化した環境から保護するためのドーム式シェルターとしての機能も果たすことが可能になり、子どもたちを環境悪化から保護する遊戯装置としての製品化も可能になる。
【考案を実施するための最良の形態】
【００４０】  以下、本考案の実施の形態について、図１と図２に基づいて説明する。
図１は本考案の実施の形態例を示す斜視図であり、図２は本考案の実施の形態例を示す斜視図である。【００４１】  図１と図２より、ＡＤは空気が充填されてドーム形状に形成されるエアドーム本体であり、１０はエアドーム本体ＡＤの底部分の一辺が約８ｍ位の略方形になるよう裁断した十分な厚みのナイロン製の生地の下部シート体であり、２０は空気透過性を備えた薄手のナイロン生地を高さが約２ｍ位のドーム形状になるよう縫製された上部シート体であり、３０は下部シート体１０と上部シート体２０とを対向配置し両者の周縁部の図示した部位を相互に縫着した縫着部であり、４０は市販されている送風機を方形の容器に収納した送風装置であり、４１は送風装置４０の一端に設けた空気浄化手段であり、５０は生地を筒状に形成させた空気導入部であり、５１は送風装置４０からの外気を空気導入部５０を介してエアドーム本体ＡＤの内部に導入させる空気導入口であり、３１と３２は下部シート体１０の周縁部と上部シート体２０の周縁部とを着脱可能に係着する着脱可能係着部である。
【実施例１】
【００４２】  図１と図２より、２１は上部シート体２０の図示した位置にエアドーム本体ＡＤの内部に充満した空気を排出させる切込み部でありスリットとも呼ばれる。エアドーム本体ＡＤに切込み部２１を設けることで、エアドーム本体ＡＤの内部に充満した余分な空気を排出させることができ、エアドーム本体ＡＤの内部で遊戯する子どもたちから排出される酸素が消化された空気が排出されることで、送風装置４０に設けられた空気浄化手段４１によって浄化された空気をエアドーム本体ＡＤの内部に供給することができる。
【実施例２】
【００４３】  図１と図２より、２２は上部シート体２０の図示した位置にエアドーム本体ＡＤの内部の状況を目視したり、エアドーム本体ＡＤの内部にいる子どもたちからエアドーム本体ＡＤの外部の状況を確認できる透明窓部であり、透明窓部２２を設けることで、エアドーム本体ＡＤの内部にいる子どもたちは安心して遊戯に専念することができ、エアドーム本体ＡＤの外部にいる親や教師や指導者や監視者たちは安心して子どもたちを見守ることができる。
【実施例３】
【００４４】  図１と図２に示した着脱可能係着部３１と着脱可能係着部３２は、この実施例では市販されているファスナーを使用しており、着脱可能係着部３１はファスナー３１であり着脱可能係着部３２はファスナー３２でもある。図１ではファスナー３１とファスナー３２は閉じられた状態を示している。図２より、３３はファスナー３１とファスナー３２が開かれたときに生じる出入り口を示している。出入り口３３によって、子どもたちはエアドーム本体ＡＤの内部に入ったりエアドーム本体ＡＤの外部に出たりすることができる。
【実施例４】
【００４５】  図１と図２より、エアドーム本体ＡＤを収納する場合は、ファスナー３１とファスナー３２が開かれた状態にし、送風装置４０を作動停止にすることで、エアドーム本体ＡＤの内部に充満していた空気は、切込み部２１や出入り口３３から速やかに排出され、下部シート体１０と上部シート体２０はあたかま一体化されたシート状になり、素材が軽量なナイロン製であることで容易に折り畳むことが可能になる。
【実施例５】
【００４６】  図１と図２より、送風装置４０を大きめな容器として設計すれば、折り畳まれたエアドーム本体ＡＤを収納することも可能になり、その場合送風装置４０の任意の位置に取っ手を設けることで可搬性が向上する。
【実施例６】
【００４７】  図１と図２より、切込み部２１を長尺寸法で設計することで、緊急時には切込み部２１をエアドーム本体ＡＤの内部にいる子どもたちの脱出口としての機能も持たせることも可能になる。また、切込み部２１をさらに長尺寸法で設計することで、緊急時には切込み部２１をエアドーム本体ＡＤの外部にいる親や教師や指導者や監視者たちの出入り口としての機能も持たせることも可能になる。
【実施例７】
【００４８】  図１と図２より、着脱可能係着部３１と着脱可能係着部３２の種類を変えてみたり、ファスナー３１とファスナー３２の開口の比率を変化させたりして、エアドーム本体ＡＤの内部の余分の空気の排出量を調整してもよい。また、出入り口３３を保持したまま本考案のエアドーム式遊戯用装置を運用しても構わない。
【産業上の利用可能性】
【００５０】  本考案のエアドーム式遊戯用装置は、屋外で使用する場合には、雨避けや日避けとして誰でも手軽に用いることができる簡易な仮設屋根として使用することも可能になり、産業上有用な考案品である。
【図面の簡単な説明】
【００５１】
【図１】本考案の実施の形態例を示す斜視図である。
【図２】本考案の実施の形態例を示す斜視図である。
【符号の説明】
【００５２】ＡＤ      エアドーム本体
１０      下部シート体
２０      上部シート体
２１      切込み部（スリット）
２２      透明窓部
３０      縫着部
３１      着脱可能係着部（ファスナー）
３２      着脱可能係着部（ファスナー）
３３      出入り口
４０      送風装置
４１      空気浄化手段
５０      空気導入部
５１      空気導入口
【図１】
0003135461.tif 000003
【図２】
0003135461.tif 000004
【手続補正書】
【提出日】平成19年4月19日(2007.4.19)
【手続補正１】
【補正対象書類名】明細書
【補正対象項目名】００１２
【補正方法】変更
【補正の内容】
【００１２】  前記送風装置に関しては、女性や高齢者が持ち運びできる重量と形状であれば一般的に入手できるタイプであれば特に制限無く用いることができる。
前記着脱可能係着部に関しては、一般的に市販されている、着脱可能係着具であれば何でも使用可能である。例えば、一般的には、ファスナーやマジックテープ（登録商標）と称されているものが使用可能である。また、例えば、磁石方式、密着方式、吸盤方式、粘着方式、なども使用可能である。また、例えば、一端が凹状で形成され他端が凸状で形成されたタイプの着脱可能係着具であれば何でも使用可能である。